(57)【要約】【課題】器具栓の閉め忘れによる電力消費を抑制し、電池交換の頻度を少なくする加熱調理器を提供することにある。【解決手段】バーナの点火／消火を手動操作する器具栓Ａ，Ｂを備えたガスコンロにおいて、器具栓Ａ，Ｂの一方が開かれるとオン状態となって制御部１に電源部２からの電源供給を開始させるトランジスタＱ１と、このトランジスタＱ１をオン状態に保持する電源保持回路３を備えさせる。そして、制御部１は、電源部２からの電源供給が開始されると電源保持回路３を通じてトランジスタＱ１をオン状態に保持する一方、バーナの燃焼を強制停止させたときにおいて当該バーナの器具栓Ａが開かれたまま放置されている場合には、電源保持回路３を通じてトランジスタＱ１をオフ状態にして制御部１に対する電源供給を遮断する。【選択図】図１
2014025650.tif 000002
【特許請求の範囲】
【請求項１】
バーナの点火または消火を手動操作する器具栓と、所定条件を満たしたときにバーナの燃焼を強制停止させる制御構成を有する制御部と、前記制御部に電源を供給する電源部とを備えた加熱調理器において、
前記器具栓が開かれたことを条件としてオン状態となって前記制御部に前記電源部からの電源供給を開始させる電源スイッチ手段と、
前記制御部からの制御信号に応じて前記電源スイッチ手段をオン状態に保持して制御部に対する電源供給を維持させる電源保持手段とを有してなり、
前記制御部は、前記電源部からの電源供給が開始されると前記電源保持手段を通じて前記電源スイッチ手段をオン状態に保持する制御構成と、前記バーナの燃焼を強制停止させる制御を実行した場合において前記器具栓が開かれた状態を維持しているときには、前記電源保持手段を通じて前記電源スイッチ手段をオフ状態にして前記制御部に対する電源供給を遮断する制御構成を備えていることを特徴とする加熱調理器。
【請求項２】
前記器具栓は、当該器具栓が開かれたときに１度だけオン状態となってオフ状態に復帰する第１スイッチと、前記器具栓が開かれてから閉じられるまでオン状態を維持する第２スイッチとを備えてなり、
前記第１スイッチがオン状態となることによって前記電源スイッチ手段がオン状態となる構成と、前記第２スイッチがオン状態である旨の信号を前記制御部が検出する構成とを備えたことを特徴とする請求項１に記載の加熱調理器。
【請求項３】
前記器具栓が開かれたことを検知してワンショットパルスを出力するパルス発生手段を備え、前記パルス発生手段からのワンショットパルスによって前記電源スイッチ手段がオン状態に設定される構成を備えたことを特徴とする請求項１に記載の加熱調理器。
【請求項４】
前記バーナが複数基備えられるとともに各バーナに対応して器具栓も複数備えられてなり、前記制御部は一の器具栓に対応するバーナの燃焼を強制停止させた場合において、他の器具栓に対応するバーナが燃焼を継続しているときには、前記電源保持手段を通じて電源スイッチ手段のオン状態を維持する制御構成を備えていることを特徴とする請求項１から３のいずれかに記載の加熱調理器。
【発明の詳細な説明】
【技術分野】
【０００１】
この発明は加熱調理器に関し、より詳細には、バーナの点火／消火の手動操作を行う器具栓の操作に連動して制御部に電源供給が行われる構造を備えた加熱調理器に関する。
【背景技術】
【０００２】
従来、ガスコンロなどの加熱調理器は、バーナの点火／消火の手動操作を行う操作部としての器具栓がバーナごとに備えられている。この器具栓としては、押しボタン式やつまみ回転式など様々な態様の器具栓が提供されているが、いずれの態様の器具栓においても、器具栓が開かれることによって加熱調理器に備えられた電源部から制御部に対して電力が供給（電源供給）され、これによって制御部が作動するように構成されている。
【０００３】
すなわち、この種の加熱調理器においては、バーナの途中失火や加熱中の調理器具（たとえば、鍋やフライパンなど）に対する過剰な加熱、さらにはバーナの消し忘れ（長時間燃焼継続）など、バーナの燃焼中における様々な異常を制御部で監視するように構成されており、制御部はこのような異常を検出すると、当該バーナの燃焼を強制的に停止させる処理（たとえば、当該バーナへの燃料ガスの供給を停止させる処理など）を実行するように構成されている（たとえば、特許文献１参照）。
【先行技術文献】
【特許文献】
【０００４】
【特許文献１】特許第２９３７８２２号公報
【発明の概要】
【発明が解決しようとする課題】
【０００５】
しかしながら、このように器具栓の操作とは無関係にバーナの燃焼を強制的に停止させる制御構成を備えた加熱調理器においては以下のような問題があり、その改善が望まれていた。
【０００６】
すなわち、この種の加熱調理器において、制御部がバーナの燃焼を強制的に停止させる場合には、燃焼停止をユーザに知らせて、器具栓を閉じる操作をユーザに促すようになっている（たとえば、警告音を発生させたり燃焼停止を表示部に表示させるなどして報知している）が、ユーザが器具栓を閉じる操作を失念した場合、つまり、バーナの燃焼は停止したが器具栓は開かれたままの状態で放置された場合、制御部に電源供給がされた状態が器具栓を閉じるまで継続されるので、制御部において無駄な電力が消費されるという問題がある。
【０００７】
特に、この種の加熱調理器においては、電源として乾電池などの電池が広く用いられていることから、このような制御部における無駄な電力消費は電池寿命の短縮を招き、電池交換を頻繁に行わねばならないという問題があった。
【０００８】
本発明は、このような問題点に鑑みてなされたものであって、その目的とするところは、器具栓の閉め忘れによる電力消費を抑制し、電池交換の頻度を少なくすることができる加熱調理器を提供することにある。
【課題を解決するための手段】
【０００９】
上記目的を達成するため、本発明の請求項１に記載の加熱調理器は、バーナの点火または消火を手動操作する器具栓と、所定条件を満たしたときにバーナの燃焼を強制停止させる制御構成を有する制御部と、上記制御部に電源を供給する電源部とを備えた加熱調理器において、上記器具栓が開かれたことを条件としてオン状態となって上記制御部に上記電源部からの電源供給を開始させる電源スイッチ手段と、上記制御部からの制御信号に応じて上記電源スイッチ手段をオン状態に保持して制御部に対する電源供給を維持させる電源保持手段とを有してなり、上記制御部は、上記電源部からの電源供給が開始されると上記電源保持手段を通じて上記電源スイッチ手段をオン状態に保持する制御構成と、上記バーナの燃焼を強制停止させる制御を実行した場合において上記器具栓が開かれた状態を維持しているときには、上記電源保持手段を通じて上記電源スイッチ手段をオフ状態にして上記制御部に対する電源供給を遮断する制御構成を備えていることを特徴とする。
【００１０】
この請求項１に係る加熱調理器では、器具栓が開かれるとそれに伴ってスイッチ手段がオン状態となって電源部から制御部への電源供給が開始される。そして、この電源供給の開始によって制御部が起動すると、制御部は電源保持手段を通じて電源スイッチ手段をオン状態に保持して電源部から制御部に対する電源供給を維持する。
【００１１】
そして、バーナの燃焼が開始した後（つまり、バーナの燃焼中）において、制御部がバーナの燃焼を強制停止させる制御を実行したときに上記器具栓が手動操作によって閉じられることなく開かれた状態を維持しているときには、制御部は、電源保持手段を通じて電源スイッチ手段をオフ状態にして制御部に対する電源供給を遮断する。これにより、制御部での電力消費がなくなり、器具栓の閉め忘れによる制御部での電力消費が防止される。
【００１２】
本発明の請求項２に記載の加熱調理器は、請求項１に記載の加熱調理器において、上記器具栓は、当該器具栓が開かれたときに１度だけオン状態となってオフ状態に復帰する第１スイッチと、上記器具栓が開かれてから閉じられるまでオン状態を維持する第２スイッチとを備えてなり、上記第１スイッチがオン状態となることによって上記電源スイッチ手段がオン状態となる構成と、上記第２スイッチがオン状態である旨の信号を上記制御部が検出する構成とを備えたことを特徴とする。
【００１３】
この請求項２に係る加熱調理器では、器具栓には当該器具栓を開くことによって作動するスイッチとして第１スイッチと第２スイッチの二つのスイッチが備えられており、第１スイッチが制御部への電源供給を開始させるトリガとして機能し、また、第２のスイッチが器具栓の状態（開／閉いずれの状態にあるか）を制御部に知らせるスイッチとして機能する。すなわち、この請求項２に係る加熱調理器では、器具栓には器具栓の状態を制御部に知らせるスイッチ（第２のスイッチ）とは別に、制御部への電源供給開始のトリガとなるスイッチ（第１のスイッチ）が設けられている。
【００１４】
本発明の請求項３に記載の加熱調理器は、請求項１に記載の加熱調理器において、上記器具栓が開かれたことを検知してワンショットパルスを出力するパルス発生手段を備え、上記パルス発生手段からのワンショットパルスによって上記電源スイッチ手段がオン状態に設定される構成を備えたことを特徴とする。
【００１５】
この請求項３に係る加熱調理器では、器具栓が開かれたことを検知してワンショットパルスを出力するパルス発生手段が備えられており、このパルス発生手段からのワンショットパルスが制御部への電源供給を開始させるトリガとして用いられている。そのため、この請求項３に係る加熱調理器では、器具栓には器具栓の状態（開／閉いずれの状態にあるか）を制御部に知らせるためのスイッチだけを設けておき、パルス発生手段はこのスイッチの信号を利用してワンショットパルスを発生させることができる。
【００１６】
本発明の請求項４に記載の加熱調理器は、請求項１から３のいずれかに記載の加熱調理器において、上記バーナが複数基備えられるとともに各バーナに対応して器具栓も複数備えられてなり、上記制御部は一の器具栓に対応するバーナの燃焼を強制停止させた場合において、他の器具栓に対応するバーナが燃焼を継続しているときには、上記電源保持手段を通じて電源スイッチ手段のオン状態を維持する制御構成を備えていることを特徴とする。
【００１７】
すなわち、この請求項４に係る加熱調理器では、制御部が一の器具栓に対応するバーナの燃焼を強制停止させた場合であっても、他の器具栓に対応するバーナが燃焼を継続している場合には、制御部は電源保持手段を通じて電源スイッチ手段のオン状態を維持するので、他の器具栓に対応するバーナの燃焼中に制御部への電源供給が遮断されることが回避される。
【発明の効果】
【００１８】
本発明によれば、制御部は、電源部からの電源供給が開始されると電源保持手段を通じて電源スイッチ手段をオン状態に保持する制御構成と、バーナの燃焼を強制停止させる制御を実行した場合において器具栓が開かれた状態を維持しているときには、電源保持手段を通じて電源スイッチ手段をオフ状態にして制御部に対する電源供給を遮断する制御構成とを備えていることから、制御部がバーナの燃焼を強制停止させる制御を実行したときに器具栓が手動操作によって閉じられないまま放置されている場合には、制御部が電源保持手段を通じて電源スイッチ手段をオフ状態にして制御部に対する電源供給を遮断するので、器具栓の閉め忘れによる制御部での電力消費が抑制される。そのため、電源部の電源として電池が用いられている場合に、電池の消耗を少なくすることができ、電池交換を頻繁に行う煩わしさが解消される。
【図面の簡単な説明】
【００１９】
【図１】本発明に係る加熱調理器の電源系統の回路構成の一例を示す回路図である。
【図２】同加熱調理器の電源系統の改変例の一例を示す回路図である。
【図３】同加熱調理器の第２の実施形態における電源系統の回路構成を示す回路図である。
【図４】同加熱調理器の第３の実施形態における電源系統の回路構成を示す回路図である。
【図５】同加熱調理器の第４の実施形態における電源系統の回路構成を示す回路図である。
【図６】同加熱調理器の第５の実施形態における電源系統の回路構成を示す回路図である。
【発明を実施するための形態】
【００２０】
以下、本発明の実施形態を図面に基づいて詳細に説明する。
実施形態１
本発明に係る加熱調理器は、加熱調理用の燃焼部（バーナ）を備えた調理装置であって、たとえば燃焼部の燃料にガスを用いるガスコンロで構成されている。そして、本発明が適用されるガスコンロは、バーナの途中失火や調理器具に対する過剰な加熱、さらにはバーナの消し忘れなど、バーナの燃焼に関連する各種異常を監視し、このようなバーナの燃焼に関連する異常が検出されたときにはバーナの燃焼を強制的に停止させる機能を備えて構成されている。
【００２１】
図１は、本発明を適用したガスコンロ（加熱調理器）の一例、特に、その電源系統の回路構成を示している。ここで、この図１は、加熱調理用の燃焼部として２基のバーナ（図示せず）を備えたガスコンロの電源系統の回路構成を示している。つまり、この図１には、バーナの数に応じて２基の器具栓（器具栓Ａと器具栓Ｂ）が備えられたガスコンロの電源系統が図示されている。なお、本実施形態ではこの図１に基づいてバーナが２基のガスコンロについて説明するが、バーナの数は１基または２基以上で構成されていてもよい。
【００２２】
そこで、まず器具栓Ａ，Ｂについて説明する。器具栓Ａ，Ｂは、それぞれ対応するバーナ（図示せず）の点火または消火を手動操作するための操作部であって、その具体的な構造は公知であるため詳細な説明は省略するが、これら器具栓Ａ，Ｂは、いずれも器具栓を開く操作によって対応するバーナに燃料ガスが供給されるとともに当該バーナへの点火が行われるように構成される一方、器具栓を閉じる操作によって対応するバーナへの燃料ガスの供給が遮断されバーナの燃焼が停止するように構成されている。つまり、器具栓を開くと対応するバーナが燃焼運転を開始し、器具栓を閉じると対応するバーナの燃焼運転が停止するように構成されている。なお、これら器具栓Ａ，Ｂとしては、たとえば、押しボタン式の構造やつまみ回転式の構造、さらにはタッチパネル式の構造など様々な態様の器具栓が提供されているが、本実施形態ではいずれの態様の器具栓が用いられてもよい。
【００２３】
そして、本実施形態では、このような器具栓Ａ，Ｂには、それぞれ器具栓が開かれたときに１度だけオン状態となってオフ状態に復帰する点火スイッチ（第１スイッチ）１０と、器具栓Ａ，Ｂが開かれてから閉じられるまでオン状態を維持する電源スイッチ（第２スイッチ）１１とが備えられている（なお、以下の説明では、器具栓Ａ側の点火スイッチを１０ａ、電源スイッチを１１ａとし、器具栓Ｂ側の点火スイッチを１０ｂ、電源スイッチを１１ｂとする）。ここで、点火スイッチ１０は、たとえば、器具栓Ａ，Ｂが押しボタン式で構成されている場合には、ユーザが器具栓を押し込んだ状態で保持している間はオン状態を継続し、バーナへの点火を確認したユーザが押しボタンから手を放したときオフ状態に復帰するように構成される。なお、このような押しボタン式の器具栓の場合、器具栓を閉じる操作は、もう一度押しボタンを押し込んで押しボタンを初期の位置に復帰させることによって器具栓が閉じられるように構成されている。
【００２４】
次に、図１に示すガスコンロの電源系統について説明する。図１に示すように、本実施形態に示すガスコンロは、制御部１と、制御部１に電源を供給する電源部２と、制御部１からの指示に基づいて制御部１への電源供給を保持させる電源保持回路（電源保持手段）３とを主要部として構成されている。なお、４はバーナへの点火を行うイグナイタ（点火装置）を示している。
【００２５】
ここで、制御部１は、制御中枢としてマイコンを備えた制御回路で構成されており、この制御部１によってイグナイタ４の点火制御や上述したバーナの燃焼の監視ならびに異常検出時におけるバーナの燃焼停止処理などが行われるようになっている。また、本実施形態では、この制御部１は、後述する電源保持回路３の制御も行うようになっている。電源部２は、乾電池などの電池（一次電池又は二次電池）を電源として構成されており、図示しない電池ホルダなどを備え、電池が消耗した場合には電池交換ができるようになっている。そして、この電源部２と制御部１との間には、オン状態のときに電源部２から制御部１への電源供給を許容するトランジスタ（電源スイッチ手段）Ｑ１を備えた電源保持回路３が介装されている。
【００２６】
電源保持回路３は、エミッタ端子が電源部２の正極に接続されるとともにコレクタ端子が制御部１の電源入力部に接続されたＰＮＰトランジスタＱ１と、このトランジスタＱ１のベース端子に抵抗Ｒ１を介してコレクタ端子が接続された一組のＮＰＮトランジスタＱ２，Ｑ３とを主要部として構成されている。
【００２７】
このうち、トランジスタＱ２は、そのベース端子が抵抗Ｒ２を介して一端が電源部２に接続された各点火スイッチ１０ａ，１０ｂの他端に接続されており、点火スイッチ１０ａ，１０ｂの少なくとも一方がオン状態になるとトランジスタＱ２もオン状態となってトランジスタＱ１をオン状態に設定するように構成されている。ここで、上記各点火スイッチ１０ａ，１０ｂの一端は電源部２の正極に接続されており、点火スイッチ１０ａ，１０ｂがオン状態になるとトランジスタＱ２のベース端子に電源部２からの電圧が印加されるように構成されている。
【００２８】
一方、トランジスタＱ３は、そのベース端子が抵抗Ｒ３を介して制御部１の保持信号出力端子に接続されており、制御部１から出力される保持信号（制御信号）によってそのオン／オフが制御されるように構成されている。具体的には、このトランジスタＱ３は、制御部１から保持信号が出力されるとオン状態となってトランジスタＱ１をオン状態に設定とともに、制御部１からの保持信号が停止されるとオフ状態となってトランジスタＱ２がオフ状態であれば、トランジスタＱ１をオフ状態に設定するように構成されている。
【００２９】
また、上記点火スイッチ１０ａ，１０ｂの他端は、抵抗Ｒ４を介してＮＰＮトランジスタＱ４のベース端子にも接続されている。このトランジスタＱ４は、器具栓Ａ，Ｂのうちの一方の点火スイッチ１０ａ，１０ｂがオン状態となったこと、換言すれば、器具栓Ａ，Ｂのうちの一方の器具栓が開かれて点火指示が発せられたことを制御部１に知らせるために設けらた素子であって、このトランジスタＱ４のベース端子に電源部２からの電圧が印加されるとトランジスタＱ４がオン状態となって制御部１の点火入力をＬｏに設定することで、器具栓Ａ，Ｂの操作による点火指示が発せられたことを制御部１に知らせるようになっている。
【００３０】
そして、上記トランジスタＱ１と制御部１との間には、他端が制御部１の器具栓入力Ａ，Ｂに接続された電源スイッチ１１ａ，１１ｂの一端がそれぞれ接続されており、電源スイッチ１１ａ，１１ｂがオン状態にある器具栓入力Ａ，ＢにＨｉの信号（つまり、電源スイッチがオン状態である旨の信号）が与えられるように構成されている。ここで、電源スイッチ１１ａ，１１ｂは、上述したように、器具栓Ａ，Ｂが開かれてから閉じられるまでオン状態を維持するように構成されているので、制御部１はこの器具栓入力Ａ，Ｂを監視することで、器具栓Ａ，Ｂが開かれているか否か（器具栓Ａ，Ｂが開／閉いずれの状態にあるか）を検出できるようになっている。
【００３１】
また、制御部１には、上述したイグナイタ４の点火制御を行うための信号を出力する端子（イグナイタ出力端子）が備えられている。このイグナイタ出力端子は、コレクタ端子がイグナイタ４に接続されたＮＰＮトランジスタＱ５のベース端子に抵抗Ｒ５を介して接続されており、トランジスタＱ５をオン状態にすることでイグナイタ４による点火動作が行われるようになっている。
【００３２】
次に、このように構成されたガスコンロの動作について説明する。
本実施形態のガスコンロでは、たとえば、ユーザによって器具栓Ａを開く操作が行われると、器具栓Ａの点火スイッチ１０ａと電源スイッチ１１ａがオン状態になる。
【００３３】
点火スイッチ１０ａがオン状態になると、これに伴って電源保持回路３のトランジスタＱ２がオン状態になってトランジスタＱ１もオン状態になる。そして、トランジスタＱ１がオン状態になると、このトランジスタＱ１を介して電源部２から制御部１に電源供給が開始され、制御部１が起動する。
【００３４】
起動した制御部１は、電源保持回路３に対して電源の保持を指令する保持信号を出力するように構成されており、制御部１の起動によってこの保持信号が電源保持回路３のトランジスタＱ３に与えられる。そして、トランジスタＱ３がオン状態となることによって、トランジスタＱ２がオフ状態になってもトランジスタＱ１のオン状態が維持されるようになる。
【００３５】
また、点火スイッチ１０ａがオン状態になったときにはトランジスタＱ４もオン状態になって制御部１の点火入力がＬｏになり、器具栓側から点火指示が発せられたことが制御部１に伝えられる。これにより制御部１は、イグナイタ出力端子からトランジスタＱ５をオンさせる信号を出力してイグナイタ４に点火動作を行わせる。なお、本実施形態に示すイグナイタ４は、ガスコンロに備えられるバーナに共通の点火装置として構成されており、制御部１は器具栓Ａ，Ｂのいずれが開かれたかを問わずに点火入力がＬｏになるとイグナイタ４に点火動作を行わせるようになっている。
【００３６】
イグナイタ４の点火動作によってバーナが燃焼を開始すると、燃焼開始を確認したユーザは器具栓Ａの操作を止める（器具栓Ａが押しボタン式の場合には押しボタンから手を放す）ので、これによって点火スイッチ１０ａがオフ状態となる。しかし、このときには上述したように既にトランジスタＱ３がオン状態となっているので、トランジスタＱ２がオフ状態になってもトランジスタＱ１はオン状態を保持することとなり、制御部１には電源部２からの電源供給が継続される。
【００３７】
また、制御部１はこれらの処理と並行して、器具栓入力Ａ，Ｂを監視し、いずれの器具栓Ａ，Ｂが開かれているかを検出するようになっている。すなわち、制御部１は器具栓入力Ａ，ＢにＨｉの信号が入力されている器具栓が開かれていると判断するように構成されている（なお、器具栓Ａ，Ｂがともに開かれている場合には器具栓入力Ａ，Ｂの双方にＨｉの信号が入力される）。
【００３８】
そして、制御部１は、器具栓が開かれているバーナについては、図示しないセンサ類から得れらる情報や制御部１での燃焼継続時間の測定などを通じて当該バーナの燃焼に異常がないかを監視し、バーナの燃焼に異常が検出された場合（制御部１において異常としてあらかじめ設定された条件が満たされた場合）には、異常が検出されたバーナの燃焼を強制的に停止させる処理を行う。具体的には、たとえば、異常が検出されたバーナへの燃料ガスの供給を停止させるなどの処理を行う。
【００３９】
一方、ユーザが器具栓Ａを閉じる操作を行った場合には、器具栓Ａの電源スイッチ１１ａがオフ状態になるので、これに伴って制御部１の器具栓入力ＡがＨｉからＬｏに変化する。制御部１は、器具栓入力がＬｏになったことをもって器具栓Ａが閉じられたことを検出する。そして、このときに器具栓Ｂが閉じられていれば（器具栓入力ＢもＬｏであれば）、制御部１は保持信号の出力を停止し、トランジスタＱ３をオフ状態にしてトランジスタＱ１をオフ状態に設定する。つまり、制御部１はすべての器具栓が閉じられていることを条件に制御部１に対する電源供給を停止させる。なおこのとき、いずれかの器具栓が開かれていれば（ここでは、器具栓Ｂが開かれていれば）、器具栓Ｂに対応するバーナは燃焼しているとみなされるので、制御部１は保持信号の出力停止を行わずに制御部１への電源供給を継続・維持する。
【００４０】
ところで、上述したように、制御部１が異常を検出したバーナの燃焼を強制的に停止させる制御構成を備えたガスコンロにおいては、強制停止されたバーナの器具栓はユーザが閉じる操作を行わなければ電源スイッチ１１がオン状態を維持することになる。つまり、このときに他に燃焼しているバーナがない場合には、燃焼が強制停止されたバーナの器具栓をユーザが閉じるまで制御部１には無駄な電源供給が継続されることになる。
【００４１】
そのため、本実施形態に示すガスコンロでは、制御部１がバーナの燃焼を強制停止させた場合、制御部１は、以下の手順で制御部１に対する電源供給を停止させるように構成されている。
【００４２】
すなわち、本実施形態に示すガスコンロでは、たとえば、器具栓Ａに対応するバーナが燃焼しているときに、当該バーナの燃焼異常を制御部１が検出してその燃焼を強制停止させた場合には、制御部１は、器具栓Ａがユーザによって閉じられたか否かを判断する。この判断は、燃焼の強制停止後直ちにまたは一定時間経過後に行うように構成され、制御部１は器具栓入力ＡがＬｏになっているかを確認する。
【００４３】
そして、この判断において器具栓入力ＡがＨｉの状態であれば、制御部１は器具栓Ａが閉じられることなく開かれた状態を維持していると判断して、電源保持回路３に対する保持信号の出力を停止させる。つまり、電源保持回路３のトランジスタＱ３をオフ状態にしてトランジスタＱ１をオフに設定し、制御部１に対する電源供給を停止させる。
【００４４】
なおその際に、器具栓Ｂが開かれている場合（制御部１の器具栓入力ＢがＨｉの場合）には、器具栓Ｂに対応するバーナは燃焼しているとみなせるので、制御部１は保持信号の出力停止を行わずに、制御部１への電源供給を継続・維持する。つまり、この制御における保持信号の出力停止は、燃焼を強制停止させたバーナ以外のすべてのバーナの燃焼が停止しているとみなせることを条件として行われるように構成されている。
【００４５】
すなわち、本実施形態のガスコンロでは、一の器具栓に対応するバーナの燃焼を強制停止させた場合であっても、他の器具栓に対応するバーナが燃焼を継続しているとみなされるときには、制御部１は保持信号の出力停止を行わず保持信号を維持して電源部２から制御部１への電源供給を継続するように構成されている。
【００４６】
このように、本実施形態に示すガスコンロでは、制御部１が、電源部２からの電源供給が開始されると電源保持回路３に対して保持信号を出力してトランジスタＱ１をオン状態に保持する制御構成と、バーナの燃焼を強制停止させた場合において当該燃焼を停止させたバーナの器具栓が開かれた状態を維持しているときには、保持信号の出力を停止してトランジスタＱ１をオフ状態に設定し、制御部１に対する電源供給を遮断する制御構成とを備えていることから、制御部１がバーナの燃焼を強制停止させたときにユーザが器具栓を閉じ忘れても、制御部１が自己の制御によって制御部１に対する電源供給を遮断するので、制御部１での電力消費が抑制される。
【００４７】
図２は、図１に示すガスコンロの回路構成の改変例を示している。この図２に示すガスコンロでは、器具栓Ａ，Ｂの点火スイッチ１０ａ，１０ｂの配置を変更している。すなわち、この図２に示すガスコンロでは、点火スイッチ１０ａ，１０ｂの一端が回路のグランドに接続されるように構成されている。
【００４８】
そして、この改変に伴って、各点火スイッチ１０ａ，１０ｂの他端がダイオードを介してトランジスタＱ１のベース端子に接続されてトランジスタＱ２が省略されるとともに、トランジスタＱ４にＰＮＰトランジスタが用られて、このトランジスタＱ４のエミッタ端子がトランジスタＱ１のコレクタ端子に、また、コレクタ端子が制御部１の点火入力にそれぞれ接続されている。
【００４９】
つまり、この図２に示すガスコンロにおいても、器具栓Ａ（または器具栓Ｂ）が開かれて点火スイッチ１０ａ（または点火スイッチ１０ｂ）がオン状態になると、トランジスタＱ１およびトランジスタＱ４がともにオン状態となるように構成されている。なお、その他の構成については上述した図１に示すガスコンロと同様であるので、その構成や動作の詳細な説明は省略する。
【００５０】
実施形態２
次に、本発明の第２の実施形態を図３に基づいて説明する。
この図３に示すガスコンロは、実施形態１に示すガスコンロの回路構成を改変したものであって、具体的には、器具栓Ａ，Ｂの操作に連動してオン／オフするスイッチの構成を改変している。そして、この改変に伴って器具栓Ａ，Ｂの操作に連動してパルス信号を発生させるパルス発生回路（パルス発生手段）５を備えている。
【００５１】
より具体的には、このガスコンロでは、器具栓Ａ，Ｂの操作に連動するスイッチとして上述した点火スイッチ１０および電源スイッチ１１に代えて、器具栓Ａ，Ｂが開かれている間はオン状態を維持する器具栓スイッチ１２を用いている（なお、以下の説明では、器具栓Ａ側の器具栓スイッチを１２ａとし、器具栓Ｂ側の器具栓スイッチを１２ｂとする）。
【００５２】
器具栓スイッチ１２ａ，１２ｂは、双方ともその一端が電源部２の正極に接続されるとともに、器具栓スイッチ１２ａの他端は抵抗Ｒ６を介してＦＥＴＱ６のゲート端子に、また器具栓スイッチ１２ｂの他端は抵抗Ｒ７を介してＦＥＴＱ７のゲート端子にそれぞれ接続されている。そして、器具栓スイッチ１２ａがオン状態になるとＦＥＴＱ６がオン状態となり、また、器具栓スイッチ１２ｂがオン状態になるとＦＥＴＱ７がオン状態となるので、制御部１は、これらＦＥＴＱ６，Ｑ７のオン／オフを器具栓入力Ａ，Ｂの入力によって判定するように構成される。そして、制御部１は当該ＦＥＴＱ６，Ｑ７がオン／オフいずれの状態にあるかを判断することにより、器具栓Ａ，Ｂのいずれが開かれているかを判定するようになっている。
【００５３】
また、器具栓スイッチ１２ａ，１２ｂには、これら器具栓スイッチ１２ａ，１２ｂがオン状態となったときにワンショットパルス（１パルス）を発生させるパルス発生回路５が接続されており、このパルス発生回路５で発生したパルス信号がトランジスタＱ２のベース端子に入力されてトランジスタＱ２をオン状態とすることで、トランジスタＱ１をオン状態とするようになっている。つまり、この実施形態では、器具栓スイッチ１２ａ，１２ｂがオン状態となったときにパルス発生回路５から出力されるパルス信号に基づいてトランジスタＱ１がオンするようになっている。
【００５４】
ここで、本実施形態に示すパルス発生回路５はＲＣ微分回路によって構成されている。具体的には、器具栓スイッチ１２ａ側には抵抗Ｒ１１およびコンデンサＣ１１による微分回路が、また、器具栓スイッチ１２ｂ側には抵抗Ｒ１２およびコンデンサＣ１２による微分回路が備えられている。そして、これら各微分回路は、ダイオードＤ１１，Ｄ１２を介して器具栓スイッチ１２ａ，１２ｂの他端と接続されるとともに、各微分回路の両端には抵抗Ｒ１３，Ｒ１４と抵抗Ｒ１５，Ｒ１６とが回路のグランドとの間に接続されている。また、微分回路の抵抗Ｒ１１，Ｒ１２にはダイオードＤ１３，Ｄ１４がそれぞれ並列に接続されている。
【００５５】
次に、このように構成されたガスコンロの動作について説明する。
本実施形態のガスコンロでは、たとえば、ユーザによって器具栓Ａを開く操作が行われると、器具栓スイッチ１２ａがオン状態となる。
【００５６】
器具栓スイッチ１２ａがオン状態になると、パルス発生回路５の抵抗Ｒ１１およびコンデンサＣ１１によって発生するパルス信号（ワンショットパルス）が電源保持回路３のトランジスタＱ２のベース端子に与えられる。そして、このパルス信号によりトランジスタＱ２がオン状態になるとトランジスタＱ１もオン状態になるので、これにより実施形態１と同様に、電源部２から制御部１への電源供給が開始され、制御部１が起動する。
【００５７】
そして、起動した制御部１は、実施形態１と同様に保持信号をトランジスタＱ３に与えてトランジスタＱ１をオン状態に保持する。また、器具栓Ａ，Ｂが閉じられたときや制御部１がバーナの燃焼を強制的に停止させたときに制御部１が保持信号の出力停止させる点も実施形態１と同様である。
【００５８】
なお、本実施形態に示すガスコンロでは、パルス発生回路５の各微分回路の両端には回路のグランドに接続された抵抗Ｒ１３，Ｒ１４およびＲ１５，Ｒ１６が備えられているので、器具栓スイッチ１２ａ，１２ｂがオフ状態になったときにはこれら抵抗を介してコンデンサＣ１１，Ｃ１２に溜まった電荷が放電される。また、器具栓スイッチ１２ａ，１２ｂがオン状態にあるときにパルス発生回路５の抵抗Ｒ１３，Ｒ１５には常時電流が流れるので、これら抵抗Ｒ１３，Ｒ１５に抵抗値が高い抵抗器を使用しておくことで、回路に流れる電流を抑制して電源部２の電池の消耗を少なくすることができる。
【００５９】
実施形態３
次に、本発明の第３の実施形態を図４に基づいて説明する。
この図４に示すガスコンロは、実施形態２に示すガスコンロの回路構成をさらに改変したものであって、具体的には、器具栓Ａ，Ｂの操作に連動してオン／オフするスイッチの構成を改変している。
【００６０】
より具体的には、このガスコンロでは、器具栓Ａ，Ｂの器具栓スイッチとしてＮＣ端子とＮＯ端子の２端子間で接続の切り替えが可能な器具栓スイッチ１３が用いられている（なお、以下の説明では、器具栓Ａ側に設けられる器具栓スイッチを１３ａとし、器具栓Ｂ側に設けられる器具栓スイッチを１３ｂとする）。
【００６１】
本実施形態では、器具栓スイッチ１３ａ，１３ｂの一端側にあるＮＣ（ノーマリー・クローズ）端子が回路のグランドに接続されるとともに、ＮＯ（ノーマリー・オープン）端子が電源部２の正極に接続される。そして、各器具栓スイッチ１３ａ，１３ｂの他端（ＣＯＭ端子）側は、上述した実施形態２と同様に、抵抗Ｒ６，Ｒ７を介してＦＥＴＱ６，Ｑ７のゲート端子にそれぞれ接続されている。つまり、本実施形態においても、器具栓スイッチ１３ａがオン状態になる（ＣＯＭ端子がＮＯ端子に接続される）とＦＥＴＱ６がオン状態となり、また、器具栓スイッチ１３ｂがオン状態となるとＦＥＴＱ７がオン状態となるように構成されており、制御部１は器具栓入力Ａ，Ｂの状態からこれらＦＥＴＱ６，Ｑ７がオン／オフいずれの状態にあるか（器具栓Ａ，Ｂが開／閉いずれの状態にあるか）を判定するようになっている。
【００６２】
また、本実施形態では、パルス発生回路５は、実施形態２と同様に器具栓スイッチ１３ａ，１３ｂともＲＣ微分回路によってワンショットパルスを発生させるように構成されている。具体的には、本実施形態では、器具栓スイッチ１３ａ側は抵抗Ｒ２１およびコンデンサＣ２１で構成される微分回路によって、また、器具栓スイッチ１３ｂ側は抵抗Ｒ２２およびコンデンサＣ２２により構成される微分回路によって、それぞれパルス信号を発生させるように構成されている。そして、微分回路を構成するコンデンサＣ２１，Ｃ２２はダイオードＤ２２，Ｄ２４を介してトランジスタＱ２のベース端子に接続されるとともに、コンデンサＣ２１，Ｃ２２の下流側にはそれぞれ回路のグランドとの間に抵抗Ｒ２３，Ｒ２４とダイオードＤ２１，Ｄ２３を接続している。
【００６３】
次に、このように構成されたガスコンロの動作について説明する。
本実施形態のガスコンロでは、たとえば、ユーザによって器具栓Ａを開く操作が行われると、器具栓スイッチ１３ａがオン状態となって、器具栓スイッチ１３ａのＣＯＭ端子がＮＯ端子に接続される。これにより、電源部２からの電圧がパルス発生回路５の抵抗Ｒ２１とコンデンサＣ２１からなる微分回路に与えられ、この微分回路で発生したパルス信号（ワンショットパルス）が電源保持回路３のトランジスタＱ２のベース端子に与えられる。そして、実施形態２の場合と同様に、トランジスタＱ２がオン状態になるとトランジスタＱ１がオン状態になり、電源部２から制御部１に電源供給が開始され、制御部１が起動する。
【００６４】
そして、起動した制御部１は上述した実施形態２と同様に保持信号をトランジスタＱ３に与えてトランジスタＱ１をオン状態に保持する。
【００６５】
そして、本実施形態では、ユーザが器具栓Ａを閉じる操作を行った場合には、器具栓スイッチ１３ａがオフ状態となって、器具栓スイッチ１３ａのＣＯＭ端子がＮＣ端子に接続される。これにより、ＦＥＴＱ６がオフとなるので、制御部１は器具栓入力Ａによって器具栓Ａが閉じられたことを検出する。なお、本実施形態においても、制御部１は実施形態１，２と同様に、バーナの燃焼を監視し、異常が検出された場合には当該バーナの燃焼を強制的に停止させるとともに、保持信号の出力停止させる処理を行うのは実施形態１，２と同様である。
【００６６】
なお、本実施形態に示すガスコンロでは、器具栓スイッチ１３ａ，１３ｂがオフ状態になると、パルス発生回路５の各微分回路のコンデンサＣ２１，Ｃ２２に蓄えられた電荷は抵抗Ｒ２１、器具栓スイッチ１３ａ、抵抗Ｒ２３およびダイオードＤ２１（抵抗Ｒ２２、器具栓スイッチ１３ｂ、抵抗Ｒ２４およびダイオードＤ２３）によって放電される。
【００６７】
実施形態４
次に、本発明の第４の実施形態を図５に基づいて説明する。
この図５に示すガスコンロは、実施形態２に示すガスコンロの回路構成をさらに改変したものであって、具体的には、パルス発生回路５においてＲＣ微分回路を構成するコンデンサＣ３１，Ｃ３２の放電を指示する放電信号が制御部１から出力されるように構成されるとともに、これに伴ってパルス発生回路５の構成の一部を変更されている。
【００６８】
より具体的には、このガスコンロでは、ワンショットパルスを発生させるパルス発生回路５は、実施形態２と同様に、ＲＣ微分回路を備えて構成される。より詳細には、このパルス発生回路５は、器具栓スイッチ１２ａ側に抵抗Ｒ３１およびコンデンサＣ３１による微分回路が、また、器具栓スイッチ１２ｂ側に抵抗Ｒ３２およびコンデンサＣ３２による微分回路が備えられるとともに、これら各微分回路がダイオードＤ３１，Ｄ３２を介して器具栓スイッチ１２ａ，１２ｂの他端と接続されている。
【００６９】
そして、これら各微分回路の両端には、実施形態２と同様に、回路のグランドとの間に抵抗Ｒ３３，Ｒ３４と抵抗Ｒ３５，Ｒ３６が接続されている。そして、本実施形態では、これら各微分回路において回路のグランドと接続される抵抗Ｒ３３，Ｒ３５と回路のグランドとの間に、ベース端子が制御部１の放電信号の出力端子に接続されたＮＰＮトランジスタＱ３１，Ｑ３２が接続されている。
【００７０】
これらトランジスタＱ３１，Ｑ３２は、制御部１から出力される放電信号に基づいて上記抵抗Ｒ３３，Ｒ３５と回路のグランドとを導通させるために設けられた素子であって、これらトランジスタＱ３１，Ｑ３２のベース端子は抵抗Ｒ３７，Ｒ３９を介して制御部１の放電信号出力端子に接続されている。
【００７１】
なお、本実施形態では、器具栓スイッチ１２ａ，１２ｂの他端はＦＥＴＱ６，Ｑ７に代えてデジタルトランジスタのような素子（具体的には、電圧信号を受けて電圧信号を出力する素子）ＩＣ１，ＩＣ２に接続されているが、器具栓スイッチ１２ａがオン状態になると素子ＩＣ１から器具栓入力Ａに信号が入力され、また、器具栓スイッチ１２ｂがオン状態になるとＩＣ２から器具栓入力Ｂに信号が入力され、制御部１がこれら素子ＩＣ１，ＩＣ２の動作の有無を器具栓入力Ａ，Ｂの入力によって判断して、器具栓Ａ，Ｂのいずれが開かれているかを判定するのは実施形態２と同様である。
【００７２】
しかして、このように構成されたガスコンロにおいて、たとえば、ユーザによって器具栓Ａを開く操作が行われると、器具栓スイッチ１２ａがオン状態となって、パルス発生回路５の抵抗Ｒ３１およびコンデンサＣ３１によって発生するパルス信号（ワンショットパルス）が電源保持回路３のトランジスタＱ２のベース端子に与えられ、トランジスタＱ２およびトランジスタＱ１がともにオン状態になり、電源部２から制御部１への電源供給が開始されて制御部１が起動する点や、起動した制御部１が保持信号をトランジスタＱ３に与えてトランジスタＱ１をオン状態に保持する点、さらには、器具栓Ａ，Ｂが閉じられたときや制御部１がバーナの燃焼を強制的に停止させたときに制御部１が保持信号の出力を停止させる点などは実施形態２と同様である。
【００７３】
そして、本実施形態に示すガスコンロでは、器具栓Ａ，Ｂの双方が閉じられたとき（器具栓スイッチ１２ａ，１２ｂがともにオフ状態となったとき）には、制御部１は保持信号の出力を停止させる前に放電信号を出力して、トランジスタＱ３１、Ｑ３２をともにオン状態にして、パルス発生回路５のコンデンサＣ３１、Ｃ３２に蓄えられた電荷を抵抗Ｒ３３，Ｒ３５などを通じて放電させるように構成されている。
【００７４】
本実施形態に示すガスコンロでは、このようにすべての器具栓Ａ，Ｂが閉じられたときには、制御部１からの放電信号によってコンデンサＣ３１，Ｃ３２の電荷を放電させておくように構成しているので、次に器具栓Ａ，Ｂが開かれたとき（器具栓スイッチ１２ａ，１２ｂがオン状態となったとき）にパルス発生回路５からトランジスタＱ２およびトランジスタＱ１をオンさせるパルス信号を確実に出力することができる。
【００７５】
実施形態５
次に、本発明の第５の実施形態を図６に基づいて説明する。
この図６に示すガスコンロは、実施形態２に示すガスコンロの回路構成をさらに改変したものであって、具体的には、このガスコンロでは器具栓スイッチ１２ａ，１２ｂのオン状態を受けて動作する素子としてＦＥＴＱ６，Ｑ７に代えてバイポーラトランジスタを用いるとともに、パルス発生回路５においてＲＣ微分回路のコンデンサＣ４１，Ｃ４２に蓄えられた電荷を放電させる回路にダイオードＤ４３，Ｄ４４を付加している。なお、その他の構成は実施形態２と同様であり、回路の構成や動作の詳細については説明を省略する。
【００７６】
なお、上述した実施形態は本発明の好適な実施態様を示すものであって、本発明はこれらに限定されることなく発明の範囲内で種々の設計変更が可能である。
【００７７】
たとえば、上述した実施形態では、本発明を電源部２の電源として電池を用いるガスコンロに適用した場合を示したが、電源部２の電源は電池に限られない。
【符号の説明】
【００７８】
１                    制御部
２                    電源部
３                    電源保持回路（電源保持手段）
４                    イグナイタ
５                    パルス発生回路（パルス発生手段）
１０                  点火スイッチ（第１スイッチ）
１１                  電源スイッチ（第２スイッチ）
Ｑ１                  トランジスタ（電源スイッチ手段）
【図１】
2014025650.tif 000003
【図２】
2014025650.tif 000004
【図３】
2014025650.tif 000005
【図４】
2014025650.tif 000006
【図５】
2014025650.tif 000007
【図６】
2014025650.tif 000008